(57)【要約】【課題】  未記録の光ディスクで最適なデフォーカス位置を調整して映像音声信号の記録品質を向上させることができるようにする。【解決手段】  ディスク装置に装着された光ディスクが未記録ディスクであるか否かを判別して、ディスク装置に装着された光ディスクが未記録ディスクであると判別された場合、光ディスクのＰＣＡのＥＣＣブロックの先頭に予め記録された任意のアスキーコードを読み出して、光ディスクのＰＣＡのＥＣＣブロックの先頭に任意のアスキーコードが記録されている場合、そのＥＣＣブロックの先頭で光ピックアップにより読み出されたＲＦ信号のジッタが最小になるように光ピックアップのデフォーカスの最適位置を調整するようにする。【選択図】        図３
2006216127.tif 000002
【特許請求の範囲】
【請求項１】
光ディスクに映像音声信号を記録再生するディスク装置であって、
ディスク装置に装着された光ディスクが未記録ディスクであるか否かを判別する判別手段と、前記判別手段によりディスク装置に装着された光ディスクが未記録ディスクであると判別された場合、光ディスクのＰＣＡのＥＣＣブロックの先頭に予め記録された任意のアスキーコードを読み出す読出手段と、光ディスクのＰＣＡのＥＣＣブロックの先頭に任意のアスキーコードが記録されている場合、そのＥＣＣブロックの先頭で光ピックアップにより読み出されたＲＦ信号のジッタが最小になるように光ピックアップのデフォーカスの最適位置を調整し、光ディスクのＰＣＡのＥＣＣブロックの先頭に任意のアスキーコードが記録されていない場合、光ディスクのＰＣＡのＥＣＣブロックの先頭に任意のアスキーコードをテスト記録して、そのＥＣＣブロックの先頭で光ピックアップにより読み出されたＲＦ信号のジッタが最小になるように光ピックアップのデフォーカスの最適位置を調整し、前記判別手段によりディスク装置に装着された光ディスクが未記録ディスクでないと判別された場合、光ディスクの記録済み領域で光ピックアップにより読み出されたＲＦ信号のジッタが最小になるように光ピックアップのデフォーカスの最適位置を調整する調整手段とを備えたことを特徴とするディスク装置。
【請求項２】
光ディスクに映像音声信号を記録再生するディスク装置であって、
ディスク装置に装着された光ディスクが未記録ディスクであるか否かを判別する判別手段と、前記判別手段によりディスク装置に装着された光ディスクが未記録ディスクであると判別された場合、光ディスクのＰＣＡのＥＣＣブロックの先頭に予め記録された任意のアスキーコードを読み出す読出手段と、光ディスクのＰＣＡのＥＣＣブロックの先頭に任意のアスキーコードが記録されている場合、そのＥＣＣブロックの先頭で光ピックアップにより読み出されたＲＦ信号のジッタが最小になるように光ピックアップのデフォーカスの最適位置を調整する調整手段とを備えたことを特徴とするディスク装置。
【請求項３】
前記調整手段は、光ディスクのＰＣＡのＥＣＣブロックの先頭に任意のアスキーコードが記録されていない場合、光ディスクのＰＣＡのＥＣＣブロックの先頭に任意のアスキーコードをテスト記録して、そのＥＣＣブロックの先頭で光ピックアップにより読み出されたＲＦ信号のジッタが最小になるように光ピックアップのデフォーカスの最適位置を調整する調整手段であることを特徴とする請求項２記載のディスク装置。
【請求項４】
前記調整手段は、前記判別手段によりディスク装置に装着された光ディスクが未記録ディスクでないと判別された場合、光ディスクの記録済み領域で光ピックアップにより読み出されたＲＦ信号のジッタが最小になるように光ピックアップのデフォーカスの最適位置を調整する調整手段であることを特徴とする請求項２記載のディスク装置。
【請求項５】
光ディスクに映像音声信号を記録再生するディスク装置の制御方法であって、
ディスク装置に装着された光ディスクが未記録ディスクであるか否かを判断するステップと、光ディスクが未記録ディスクである場合、光ディスクのＰＣＡのＥＣＣブロックの先頭に任意のアスキーコードが記録されているか否かを判断するステップと、光ディスクが未記録ディスクである場合に、光ディスクのＰＣＡのＥＣＣブロックの先頭に任意のアスキーコードが記録されている場合、そのＥＣＣブロックの先頭で光ピックアップにより読み出されたＲＦ信号のジッタが最小になるように光ピックアップのデフォーカスの最適位置を調整するステップと、光ディスクが未記録ディスクである場合に、光ディスクのＰＣＡのＥＣＣブロックの先頭に任意のアスキーコードが記録されていない場合、光ディスクのＰＣＡのＥＣＣブロックの先頭に任意のアスキーコードをテスト記録して、そのＥＣＣブロックの先頭で光ピックアップにより読み出されたＲＦ信号のジッタが最小になるように光ピックアップのデフォーカスの最適位置を調整するステップと、光ディスクが未記録ディスクでない場合、光ディスクの記録済み領域で光ピックアップにより読み出されたＲＦ信号のジッタが最小になるように光ピックアップのデフォーカスの最適位置を調整するステップとを備えたことを特徴とするディスク装置の制御方法。
【発明の詳細な説明】
【技術分野】
【０００１】
本発明は、光ディスクに映像音声信号を記録再生するディスク装置及びその制御方法に係り、特に未記録ディスクの最適デフォーカス位置を調整することができるディスク装置及びその制御方法に関する。
【背景技術】
【０００２】
従来、未記録ディスクに映像音声信号を記録する際、光ピックアップのデフォーカスの調整は予め設定された固定値等により調整して、未記録ディスクに映像音声信号が記録するようにしていた。そのため、ディスク装置に装着された光ディスクの種類によっては光ピックアップの最適なデフォーカスを調整することができず、光ピックアップのレーザ光の最適な記録パワーで記録できないため映像音声信号の記録品質が低下するという問題点があった。また、光ピックアップのデフォーカスを調整するために、光ディスクの所定の領域にテスト信号を記録するようにしていた場合、テスト信号の上書き記録の繰り返しにより最適な光ピックアップのレーザパワーの最適パワーが設定できなくなり、光ディスクに記録された映像音声信号の記録品質が劣化するという問題点があった。
背景技術としては、光ディスクに記録する記録パワーを段階的に変化させてテスト信号を書き込んで、書き込んだテスト信号を再生して記録品質を算出し、光ピックアップのデフォーカス状態でオフセット値を求めて、光ピックアップの記録パワーをオフセット値で補正するようにしたものがあった（例えば、特許文献１参照）。
また、光ディスクに記録されたテスト記録信号を再生する際、光ピックアップの再生用レーザ光の結像度が高すぎる場合、結像度を低下させてテスト信号の非対称性に基づいて光ピックアップの記録用レーザパワーを調整するようにしたものがあった（例えば、特許文献２参照）。
また、所定量のデータを光ディスクに記録したとき、光ディスクへのデータの記録を中断して、光ディスクに記録されたデータの記録状態を測定し、次の記録時の光ピックアップのレーザパワーを決定するようにしたものがあった（例えば、特許文献３参照）。
【特許文献１】特開２００２−３１２９３９号公報
【特許文献２】特開２００４−２２０８４号公報
【特許文献３】特開２００４−２３４８１２号公報
【発明の開示】
【発明が解決しようとする課題】
【０００３】
しかしながら、背景技術で述べたもののうち最初のものにおいては、光ディスクに記録する記録パワーを段階的に変化させてテスト信号を書き込んで、書き込んだテスト信号を再生して記録品質を算出し、光ピックアップのデフォーカス状態でオフセット値を求めて、光ピックアップの記録パワーをオフセット値で補正することができたが、光ディスクに記録されたテスト信号の再生信号の品位に基づいてレーザ光の最適な記録パワーを決定するようにしたものであって上記問題点を解決するようにしたものではなかった。
また、次のものにおいては、光ディスクに記録されたテスト記録信号を再生する際、光ピックアップの再生用レーザ光の結像度が高すぎる場合、結像度を低下させてテスト信号の非対称性に基づいて光ピックアップの記録用レーザパワーを調整することができたが、レーザパワーの結像度が高すぎる場合、レーザパワーの結像度を低下させてレーザの最適パワーを決定するようにしたものであって上記問題点を解決するようにしたものではなかった。
また、更にその次のものにおいては、所定量のデータを光ディスクに記録したとき、光ディスクへのデータの記録を中断して、光ディスクに記録されたデータの記録状態を測定し、次の記録時の光ピックアップのレーザパワーを決定することができたが、光ピックアップのレーザ光源の温度上昇に対してレーザパワーを適切に設定するようにしたものであって上記問題点を解決するようにしたものではなかった。
本発明は、背景技術の有するこのような問題点に鑑みてなされたものであり、その目的とするところは、未記録の光ディスクで最適なデフォーカス位置を調整して映像音声信号の記録品質を向上させることができるディスク装置を提供しようとするものである。
【課題を解決するための手段】
【０００４】
上記目的を達成するため本発明においては、光ディスクに映像音声信号を記録再生するディスク装置であって、ディスク装置に装着された光ディスクが未記録ディスクであるか否かを判別する判別手段と、前記判別手段によりディスク装置に装着された光ディスクが未記録ディスクであると判別された場合、光ディスクのＰＣＡのＥＣＣブロックの先頭に予め記録された任意のアスキーコードを読み出す読出手段と、光ディスクのＰＣＡのＥＣＣブロックの先頭に任意のアスキーコードが記録されている場合、そのＥＣＣブロックの先頭で光ピックアップにより読み出されたＲＦ信号のジッタが最小になるように光ピックアップのデフォーカスの最適位置を調整する調整手段とを備える。
前記調整手段は、光ディスクのＰＣＡのＥＣＣブロックの先頭に任意のアスキーコードが記録されていない場合、光ディスクのＰＣＡのＥＣＣブロックの先頭に任意のアスキーコードをテスト記録して、そのＥＣＣブロックの先頭で光ピックアップにより読み出されたＲＦ信号のジッタが最小になるように光ピックアップのデフォーカスの最適位置を調整するようにするとよい。
前記調整手段は、前記判別手段によりディスク装置に装着された光ディスクが未記録ディスクでないと判別された場合、光ディスクの記録済み領域で光ピックアップにより読み出されたＲＦ信号のジッタが最小になるように光ピックアップのデフォーカスの最適位置を調整するようにするとよい。
これらの手段により、未記録の光ディスクであっても最適なデフォーカス位置を調整して映像音声信号の記録品質を向上させることができる。
【発明の効果】
【０００５】
請求項１記載の発明に係るディスク装置によれば、ディスク装置に装着された光ディスクが未記録ディスクであるか否かを判別して、ディスク装置に装着された光ディスクが未記録ディスクであると判別された場合、光ディスクのＰＣＡのＥＣＣブロックの先頭に予め記録された任意のアスキーコードを読み出して、光ディスクのＰＣＡのＥＣＣブロックの先頭に任意のアスキーコードが記録されている場合、そのＥＣＣブロックの先頭で光ピックアップにより読み出されたＲＦ信号のジッタが最小になるように光ピックアップのデフォーカスの最適位置を調整し、光ディスクのＰＣＡのＥＣＣブロックの先頭に任意のアスキーコードが記録されていない場合、光ディスクのＰＣＡのＥＣＣブロックの先頭に任意のアスキーコードをテスト記録して、そのＥＣＣブロックの先頭で光ピックアップにより読み出されたＲＦ信号のジッタが最小になるように光ピックアップのデフォーカスの最適位置を調整し、ディスク装置に装着された光ディスクが未記録ディスクでないと判別された場合、光ディスクの記録済み領域で光ピックアップにより読み出されたＲＦ信号のジッタが最小になるように光ピックアップのデフォーカスの最適位置を調整するようにしているので、テスト信号の上書き記録の繰り返しによる記録品質の劣化がなく、未記録の光ディスクであっても最適なデフォーカス位置を調整して映像音声信号の記録品質を向上させることができる。
請求項２記載の発明に係るディスク装置によれば、ディスク装置に装着された光ディスクが未記録ディスクであるか否かを判別して、ディスク装置に装着された光ディスクが未記録ディスクであると判別された場合、光ディスクのＰＣＡのＥＣＣブロックの先頭に予め記録された任意のアスキーコードを読み出して、光ディスクのＰＣＡのＥＣＣブロックの先頭に任意のアスキーコードが記録されている場合、そのＥＣＣブロックの先頭で光ピックアップにより読み出されたＲＦ信号のジッタが最小になるように光ピックアップのデフォーカスの最適位置を調整するようにしているので、未記録の光ディスクであっても最適なデフォーカス位置を調整して映像音声信号の記録品質を向上させることができる。
請求項３記載の発明に係るディスク装置によれば、光ディスクのＰＣＡのＥＣＣブロックの先頭に任意のアスキーコードが記録されていない場合、光ディスクのＰＣＡのＥＣＣブロックの先頭に任意のアスキーコードをテスト記録して、そのＥＣＣブロックの先頭で光ピックアップにより読み出されたＲＦ信号のジッタが最小になるように光ピックアップのデフォーカスの最適位置を調整するようにしているので、テスト信号の上書き記録の繰り返しによる記録品質の劣化がなく、未記録の光ディスクであっても最適なデフォーカス位置を調整して映像音声信号の記録品質を向上させることができる。
請求項４記載の発明に係るディスク装置によれば、ディスク装置に装着された光ディスクが未記録ディスクでないと判別された場合、光ディスクの記録済み領域で光ピックアップにより読み出されたＲＦ信号のジッタが最小になるように光ピックアップのデフォーカスの最適位置を調整するようにしているので、記録済みの光ディスクであっても最適なデフォーカス位置を調整して映像音声信号の記録品質を向上させることができる。
請求項５記載の発明に係るディスク装置によれば、ディスク装置に装着された光ディスクが未記録ディスクであるか否かを判断して、光ディスクが未記録ディスクである場合、光ディスクのＰＣＡのＥＣＣブロックの先頭に任意のアスキーコードが記録されているか否かを判断して、光ディスクが未記録ディスクである場合に、光ディスクのＰＣＡのＥＣＣブロックの先頭に任意のアスキーコードが記録されている場合、そのＥＣＣブロックの先頭で光ピックアップにより読み出されたＲＦ信号のジッタが最小になるように光ピックアップのデフォーカスの最適位置を調整し、光ディスクが未記録ディスクである場合に、光ディスクのＰＣＡのＥＣＣブロックの先頭に任意のアスキーコードが記録されていない場合、光ディスクのＰＣＡのＥＣＣブロックの先頭に任意のアスキーコードをテスト記録して、そのＥＣＣブロックの先頭で光ピックアップにより読み出されたＲＦ信号のジッタが最小になるように光ピックアップのデフォーカスの最適位置を調整し、光ディスクが未記録ディスクでない場合、光ディスクの記録済み領域で光ピックアップにより読み出されたＲＦ信号のジッタが最小になるように光ピックアップのデフォーカスの最適位置を調整するようにしているので、テスト信号の上書き記録の繰り返しによる記録品質の劣化がなく、未記録の光ディスクであっても最適なデフォーカス位置を調整して映像音声信号の記録品質を向上させることができ、記録済みの光ディスクであっても最適なデフォーカス位置を調整して映像音声信号の記録品質を向上させることができる。
【発明を実施するための最良の形態】
【０００６】
以下、適宜図面を参照しながら本発明を実施するための最良の形態を詳述する。図１は本発明の一実施例のディスク装置の構成を示すブロック図であり、図２は光ディスクの各領域を示す説明図であり、図３は本発明の一実施例のディスク装置の動作を示すフローチャートである。
まず、図１の本発明の一実施例のディスク装置の構成を示すブロック図を基に説明する。
ディスク装置１は、光ディスク２にレーザ光を照射して光ディスク２に映像音声信号を記録するとともに、光ディスク２にレーザ光を照射してその反射光を検出し、光ディスク２に記録された映像音声信号を読み出す光ピックアップ３と、ターンテーブル４ａに装着された光ディスク２を回転させるスピンドルモータ４と、スピンドルモータ４の回転速度をサーボ制御するスピンドルサーボ回路５と、光ピックアップ３を光ディスク２の半径方向にスレッド移動させるスレッドモータ６と、スレッドモータ６の回転方向と回転速度とをサーボ制御するスレッドサーボ回路７と、光ピックアップ３により検出されたトラッキング誤差信号に基づいて光ピックアップ３のトラッキングをサーボ制御するトラッキングサーボ回路８と、光ピックアップ３により検出されたフォーカス誤差信号に基づいて光ピックアップ３のフォーカスをサーボ制御するフォーカスサーボ回路９と、光ピックアップ３により検出されたトラッキング誤差信号、フォーカス誤差信号、ＲＦ信号、映像音声信号を増幅するとともに、光ディスク２に記録する映像音声信号を増幅するＲＦ増幅回路１０と、光ピックアップ３により読み出された映像音声信号を基準クロックに基づいて同期検出して復調し、復調された映像音声信号の誤りを訂正して、所定の圧縮方式に基づいて圧縮された映像音声信号を伸張し、復号して映像音声信号を再生するとともに、外部入力端子（図示せず）から入力された映像音声信号を符号化して、符号化された映像音声信号を所定の圧縮方式に基づいて圧縮する信号処理回路１１と、ディスク装置１のシステム全体を制御するマイコン１２と、リモコン装置２０から送信された赤外線信号のリモコン信号を受信して、所定の電気信号に変換するリモコン受信部１３とで構成されている。
以上のように構成されたディスク装置について、以下その動作について説明する。
光ディスク２がディスク装置１のターンテーブル４ａに装着されると、マイコン１２は、スピンドルサーボ回路５に制御信号を送出して、スピンドルモータ４を駆動して光ディスク２を回転させ、スレッドサーボ回路７に制御信号を送出して、スレッドモータ６を駆動して光ピックアップ３を光ディスク２のリードイン領域２ｂ（図２参照）にスレッド移動させ、トラッキングサーボ回路８とフォーカスサーボ回路９とに制御信号を送出して、光ピックアップ３のトラッキングとフォーカスとをサーボ制御し、光ピックアップ３により光ディスク２のリードイン領域２ｂからＴＯＣ（Ｔａｂｌｅ  ｏｆ  Ｃｏｎｔｅｎｓ）を読み出して、ディスク装置１のターンテーブル４ａに装着された光ディスク２が未記録ディスクであるか否かを判別する。
ディスク装置１のターンテーブル４ａに装着された光ディスク２が未記録ディスクである場合、マイコン１２は、スピンドルサーボ回路５に制御信号を送出して、スピンドルモータ４を駆動して光ディスク２を回転させ、スレッドサーボ回路７に制御信号を送出して、スレッドモータ６を駆動して光ピックアップ３を光ディスク２のリードイン領域２ｂの内側のＰＣＡ（Ｐｏｗｅｒ  Ｃａｌｉｂｒａｔｉｏｎ  Ａｒｅａ）２ａ（図２参照）にスレッド移動させ、トラッキングサーボ回路８とフォーカスサーボ回路９とに制御信号を送出して、光ピックアップ３のトラッキングとフォーカスとをサーボ制御し、光ピックアップ３により光ディスク２のＰＣＡ２ａのＥＣＣ（Ｅｒｒｏｒ  Ｃｏｒｒｅｃｔｉｏｎ  Ｃｏｄｅ）ブロックの先頭に予め記録された任意のアスキーコードを読み出す。光ディスク２のＰＣＡ２ａのＥＣＣブロックの先頭に任意のアスキーコードが記録されていない場合、マイコン１２は、トラッキングサーボ回路８とフォーカスサーボ回路９とに制御信号を送出して、光ピックアップ３のトラッキングとフォーカスとをサーボ制御し、光ピックアップ３により光ディスク２のＰＣＡ２ａのＥＣＣブロックの先頭に任意のアスキーコードをテスト記録して、そのＥＣＣブロックの先頭で光ピックアップ３により読み出されたＲＦ信号のジッタが最小になるように光ピックアップ３のデフォーカスの最適位置を調整する。
また、ディスク装置１のターンテーブル４ａに装着された光ディスク２のＰＣＡ２ａ（図２参照）のＥＣＣブロックの先頭に任意のアスキーコードが記録されている場合、マイコン１２は、トラッキングサーボ回路８とフォーカスサーボ回路９とに制御信号を送出して、光ピックアップ３のトラッキングとフォーカスとをサーボ制御し、光ピックアップ３によりそのＥＣＣブロックの先頭で光ピックアップ３により読み出されたＲＦ信号のジッタが最小になるように光ピックアップ３のデフォーカスの最適位置を調整する。
また、ディスク装置１のターンテーブル４ａに装着された光ディスク２が未記録ディスクでない場合、マイコン１２は、スピンドルサーボ回路５に制御信号を送出して、スピンドルモータ４を駆動して光ディスク２を回転させ、スレッドサーボ回路７に制御信号を送出して、スレッドモータ６を駆動して光ピックアップ３を光ディスク２のリードイン領域２ｂとリードアウト領域２ｄとの間のデータ記録領域２ｃ（図２参照）にスレッド移動させ、トラッキングサーボ回路８とフォーカスサーボ回路９とに制御信号を送出して、光ピックアップ３のトラッキングとフォーカスとをサーボ制御し、光ピックアップ３により光ディスク２の記録済み領域で光ピックアップ３により読み出されたＲＦ信号のジッタが最小になるように光ピックアップ３のデフォーカスの最適位置を調整する。
また、図３の本発明の一実施例のディスク装置の動作を示すフローチャート
を基に説明する。
光ディスクがディスク装置のターンテーブルに装着されると、ステップＳ１からステップＳ２に進み、ステップＳ２で、ディスク装置のターンテーブルに装着された光ディスクが未記録ディスクであるか否かが判断され、ディスク装置のターンテーブルに装着された光ディスクが未記録ディスクである場合、ステップＳ３に進み、ディスク装置のターンテーブルに装着された光ディスクが未記録ディスクでない場合、ステップＳ６に進む。
ステップＳ３で、光ディスクのＰＣＡのＥＣＣブロックの先頭に任意のアスキーコードが記録されているか否かが判断され、光ディスクのＰＣＡのＥＣＣブロックの先頭に任意のアスキーコードが記録されている場合、ステップＳ５に進み、光ディスクのＰＣＡのＥＣＣブロックの先頭に任意のアスキーコードが記録されていない場合、ステップＳ４に進む。
ステップＳ４で、そのＥＣＣブロックの先頭に任意のアスキーコードがテスト記録され、ステップＳ５に進む。
ステップＳ５で、そのＥＣＣブロックの先頭で光ピックアップにより読み出されたＲＦ信号のジッタが最小になるように光ピックアップのデフォーカスの最適位置が調整され、ステップＳ７に進んで処理を終了する。
ステップＳ６で、光ディスクの記録済み領域で光ピックアップにより読み出されたＲＦ信号のジッタが最小になるように光ピックアップ３のデフォーカスの最適位置が調整され、ステップＳ７に進んで処理を終了する。
以上、本発明を実施するための最良の形態について詳述したが、本発明はこれに限定されるものではなく、当業者の通常の知識の範囲内でその変形や改良が可能であることはいうまでもない。
【図面の簡単な説明】
【０００７】
【図１】本発明の一実施例のディスク装置の構成を示すブロック図である。
【図２】光ディスクの各領域を示す説明図である。
【図３】本発明の一実施例のディスク装置の動作を示すフローチャートである。
【符号の説明】
【０００８】
１  ディスク装置
２  光ディスク
２ａ  ＰＣＡ
２ｂ  リードイン領域
２ｃ  データ記録領域
２ｄ  リードアウト領域
３  光ピックアップ
４  スピンドルモータ
４ａ  ターンテーブル
５  スピンドルサーボ回路
６  スレッドモータ
７  スレッドサーボ回路
８  トラッキングサーボ回路
９  フォーカスサーボ回路
１０  ＲＦ増幅回路
１１  信号処理回路
１２  マイコン
１３  リモコン受信部
２０  リモコン装置
【図１】
2006216127.tif 000003
【図２】
2006216127.tif 000004
【図３】
2006216127.tif 000005